(57)【特許請求の範囲】
【請求項１】
第１の誘電体層に形成され差動信号を伝送させる一対の導線路と、
外部グランド電位から分離され、前記第１の誘電体層を介在させた状態で前記導線路と対面するとともに、前記導線路の長さ方向に複数個に分割され形成され、前記導線路とともに前記差動信号に対して分布定数型の差動伝送線路を形成する複数の第１の分割浮きグランドと、
これら第１の分割浮きグランドのうち、入力側に位置する第１の分割浮きグランドと入力側の前記外部グランド電位との間に接続された第１の受動２端子回路と、
出力側に位置する第１の分割浮きグランドと出力側の前記外部グランド電位との間に接続された第２の受動２端子回路と、
を具備することを特徴とするコモンモードフィルタ。
【請求項２】
前記第１の分割浮きグランドは、前記入力側および出力側の１対である請求項１記載のコモンモードフィルタ。
【請求項３】
前記第１の分割浮きグランドは、３個以上形成された請求項１記載のコモンモードフィルタ。
【請求項４】
前記第１の分割浮きグランドは、隣り合う全ての前記分割浮きグランド間又は隣り合う一部の前記分割浮きグランド間に第３の受動２端子回路が接続された請求項２又は３記載のコモンモードフィルタ。
【請求項５】
前記導線路は矩形状の導線路である請求項１〜４いずれか１記載のコモンモードフィルタ。
【請求項６】
前記導線路はスパイラル状の導線路で、個々の当該スパイラルが前記分割浮きグランドの分割された個々の範囲内に収まる配置にて前記長さ方向に複数直列接続されてなる請求項１〜４いずれか１記載のコモンモードフィルタ。
【請求項７】
前記導線路は、前記第１の誘電体層としての誘電体基板に形成され、前記第１の分割浮きグランドは前記誘電体基板と異なる誘電体基板に形成されるとともに、それら異なる前記誘電体基板が積層一体化されてなる請求項１〜６いずれか１記載のコモンモードフィルタ。
【請求項８】
前記外部グランド電位から分離され、第２の誘電体層を介在させた状態で前記導線路と対面するよう形成され、前記分布定数型の差動伝送線路を形成する第２の浮きグランドを有する請求項１〜６いずれか１記載のコモンモードフィルタ。
【請求項９】
前記第２の浮きグランドは、前記導線路の前記長さ方向に複数個に分割され、それら第２の分割浮きグランドのうち、入力側に位置する第２の分割浮きグランドと入力側の前記外部グランド電位との間に第４の受動２端子回路が接続され、出力側に位置する第２の分割浮きグランドと出力側の前記外部グランド電位との間に第５の受動２端子回路が接続された請求項８記載のコモンモードフィルタ。
【請求項１０】
前記第２の分割浮きグランドは、隣り合う全ての前記分割浮きグランド間又は隣り合う一部の前記分割浮きグランド間に第６の受動２端子回路が接続された請求項９記載のコモンモードフィルタ。
【請求項１１】
前記導線路は、前記第１の誘電体層としての誘電体基板に形成され、前記第１の分割浮きグランドは前記誘電体基板と異なる誘電体基板に形成されるとともに、第２の浮きグランドは前記第２の誘電体層としての誘電体基板に形成され、それら異なる前記誘電体基板が積層一体化されてなる請求項８〜１０いずれか１記載のコモンモードフィルタ。
【発明の詳細な説明】
【技術分野】
【０００１】
本発明はコモンモードフィルタに係り、特に、超高速差動伝送線路を伝搬する超高速差動信号の通過を確保し、コモンモード信号を減衰させる新規のコモンモードフィルタに関する。
【背景技術】
【０００２】
近年、「ＨＤＴＶ：high definition television」や「Blu-ray Disc」（登録商標）等の高精細な映像コンテンツが普及し、これらコンテンツを支える膨大な量のデジタルデータを高速で伝送するために、高速シリアル伝送が用いられるようになった。
【０００３】
高速シリアル伝送では、立上り時間を短くするために電圧振幅を小さくする必要があることから、ノイズの影響を受け易くなる。そこでノイズの影響を受け難くするために、信号の差動伝送が一般的に使用されている。
【０００４】
この差動伝送方式は、ペアとなる２線路の各々に正相と逆相の差動信号を同時に送ることにより、伝送速度の高速化、省電力のための小振幅化を確保するとともに、外来雑音等のコモンモード信号を減衰させている。
【０００５】
ところが、その差動伝送方式は、外来雑音等のコモンモード信号を減衰させる機能が不十分で、その悪影響を避けるため、差動伝送線路にコモンモードチョークコイルを挿入している。
【０００６】
従来、この種のコモンモードチョークコイルは、図示はしないが、磁性体ボビンに２本の導線を同じ巻数だけ巻いた構成が良く知られている。図１６はその回路図を示している。
【０００７】
この構成のコモンモードチョークコイルにおいて、２本の導線を流れる差動信号が互いに逆相で打消しあって磁束が発生せず、２本の導線のインピーダンスが低く保たれるため、それら差動信号を通過し易い。
【０００８】
他方、コモンモード信号は、２本の導線を同相で流れて磁性体に磁束を発生させ、２本の導線のインピーダンスが高くなってその信号が通過し難く、そのコモンモード信号が減衰される。
【０００９】
特開２０００−５８３４３号公報（特許文献１）の差動伝送線路用コモンモードチョークコイルは、上述した図１６の構成に該当するものである。
【００１０】
この特許文献１は、トロイダルコアに巻装された２本のコイル導体が、ケース部とその蓋部とからなる樹脂製の外装ケース内に収容され、そのケース部の外周壁の外側面、底壁の外面および蓋部の外面にグランド導体がめっき形成され、グランド導体上には絶縁膜が形成され、それら絶縁膜の上に、端子板がそれぞれ接着され、端子板にはコイル導体の端部が半田付けされて構成され、特性インピーダンスを伝送線路に合致させて信号の反射を抑えたものである。
【先行技術文献】
【特許文献】
【００１１】
【特許文献１】特開２０００−５８３４３号公報
【発明の開示】
【発明が解決しようとする課題】
【００１２】
近年、上述した差動伝送方式においては、３Ｇビット／秒から６Ｇビット／秒の伝送速度が求められつつあり、近い将来、８Ｇ〜１６Ｇビット／秒の伝送速度が要求されると言われている。
【００１３】
しかし、上述した図１６に示した構成のコモンモードチョークコイルにおいて、最も高い周波数に対応させて構成しようとすると、図１７のような差動信号の通過特性Ｓｄｄ２１およびコモンモード信号の通過特性Ｓｃｃ２１しか得られない。
【００１４】
図１７からも分かるように、コモンモード信号の通過特性Ｓｃｃ２１は、Ｖ字形になって２〜３ＧＨｚの範囲では−２０ｄＢ程度の減衰が得られるものの、８〜１０ＧＨｚの範囲では減衰量が僅かとなり、コモンモード信号を十分減衰させ難い。
【００１５】
すなわち、図１６の従来構成では、コモンモード信号の通過特性Ｓｃｃ２１が限界に近く、今後必要とされる超高速差動信号の良好な伝送には対応し難い。
【００１６】
さらに、通過しないコモンモード信号は、コモンモードチョークコイルの入力端で反射して線路を逆方向に伝播し、反射するときに外部へ電磁放射される可能性があり、これが雑音の原因になり易い。
【００１７】
特にＧＨｚ帯の信号は、波長が短いから、その波長が回路パターン長の整数倍と一致する確率が高まり、回路パターンがアンテナとなって電磁放射される可能性が高くなる。
【００１８】
そのため、電磁放射の心配のない低周波数信号においては、コモンモード信号が入力端で反射されても実用上は問題ないが、周波数の高いコモンモード信号の反射を無視できずに問題となる。
【００１９】
本発明はそのような課題を解決するためになされたもので、超高速差動伝送線路において、望ましい超高速差動信号を良好に通過させるとともに、望ましくないコモンモード信号を、反射による遮断のみならず、内部での吸収や減衰させることが可能なコモンモードフィルタの提供を目的とする。
【課題を解決するための手段】
【００２０】
そのような課題を解決するために本発明の請求項１に係るコモンモードフィルタは、第１の誘電体層に形成され差動信号を伝送させる一対の導線路と、外部グランド電位から分離され、その第１の誘電体層を介在させた状態で導線路と対面するとともに、その導線路の長さ方向に複数個に分割され形成され、その導線路とともに差動信号に対して分布定数型の差動伝送線路を形成する複数の第１の分割浮きグランドと、これら第１の分割浮きグランドのうち、入力側に位置する第１の分割浮きグランドと入力側の外部グランド電位との間に接続された第１の受動２端子回路と、出力側に位置する第１の分割浮きグランドと出力側の外部グランド電位との間に接続された第２の受動２端子回路と、を具備している。
【００２１】
本発明の請求項２に係るコモンモードフィルタは、上記第１の分割浮きグランドが、それら入力側および出力側の１対である構成を有している。
【００２２】
本発明の請求項３に係るコモンモードフィルタは、上記第１の分割浮きグランドが３個以上形成された構成を有している。
【００２３】
本発明の請求項４に係るコモンモードフィルタは、上記第１の分割浮きグランドが、隣り合う全ての分割浮きグランド間又は隣り合う一部の分割浮きグランド間に第３の受動２端子回路が接続された構成を有している。
【００２４】
【００２５】
本発明の請求項５に係るコモンモードフィルタは、上記導線路が矩形状の導線路とする構成を有している。
【００２６】
本発明の請求項６に係るコモンモードフィルタは、上記導線路で、個々の当該スパイラルが分割浮きグランドの分割された個々の範囲内に収まる配置にて長さ方向に複数直列接続されてなる構成を有している。
【００２７】
本発明の請求項７に係るコモンモードフィルタは、上記導線路が、その第１の誘電体層としての誘電体基板に形成され、その第１の分割浮きグランドがその誘電体基板と異なる誘電体基板に形成されるとともに、それら異なるそれら誘電体基板が積層一体化されてなる構成を有している。
【００２８】
本発明の請求項８に係るコモンモードフィルタは、上記外部グランド電位から分離され、第２の誘電体層を介在させた状態で導線路と対面するよう形成され、その分布定数型の差動伝送線路を形成する第２の浮きグランドを有する構成となっている。
【００２９】
【００３０】
本発明の請求項９に係るコモンモードフィルタは、上記第２の浮きグランドが導線路の長さ方向に複数個に分割され、それら第２の分割浮きグランドのうち、入力側に位置する第２の分割浮きグランドと入力側の外部グランド電位との間に第４の受動２端子回路が接続され、出力側に位置する第２の分割浮きグランドと出力側の外部グランド電位との間に第５の受動２端子回路が接続された構成を有している。
【００３１】
本発明の請求項１０に係るコモンモードフィルタは、上記第２の分割浮きグランドが、隣り合う全てのそれら割浮きグランド間又は隣り合う一部の分割浮きグランド間に第６の受動２端子回路が接続された構成を有している。
【００３２】
本発明の請求項１１に係るコモンモードフィルタは、上記導線路が、その第１の誘電体層としての誘電体基板に形成され、その第１の分割浮きグランドがその誘電体基板と異なる誘電体基板に形成されるとともに、第２の浮きグランドがその第２の誘電体層としての誘電体基板に形成され、異なるそれら誘電体基板が積層一体化されてなる構成を有している。
【００３３】
【００３４】
【発明の効果】
【００３５】
そのような構成を有する本発明の請求項１に係るコモンモードフィルタでは、第１の誘電体層に差動信号を伝送させる一対の導線路を形成し、その第１の誘電体層を介在させ、かつ導線路と対面するとともにこの長さ方向に複数個に分割された状態で第１の分割浮きグランドを形成し、入力側に位置する第１の分割浮きグランドと入力側の外部グランド電位との間に接続された第１の受動２端子回路と、出力側に位置する第１の分割浮きグランドと出力側の外部グランド電位との間に接続された第２の受動２端子回路と有してなるから、その導線路と第１の分割浮きグランドで差動信号に対する分布定数型の差動伝送線路が形成されるとともに、導線路と第１の受動２端子回路とでコモンモード信号に対する直列共振回路が形成され、超高速差動伝送線路において、望ましくないコモンモード信号を遮断および内部吸収させて減衰させる一方、望ましい超高速差動信号を良好に通過させることが可能である。
【００３６】
本発明の請求項２に係るコモンモードフィルタでは、上記第１の分割浮きグランドが、それら入力側および出力側の１対で形成されているから、上述した効果に加えて構成が簡素化される。
【００３７】
本発明の請求項３に係るコモンモードフィルタでは、上記第１の分割浮きグランドが３個以上形成されているから、コモンモード信号に対する種々の減衰特性を得ることが可能である。
【００３８】
本発明の請求項４に係るコモンモードフィルタでは、上記第１の分割浮きグランドが、隣り合う全ての分割浮きグランド間又は隣り合う一部の分割浮きグランド間に第３の受動２端子回路が接続されているから、コモンモード信号に対する種々の減衰特性を得ることが可能である。
【００３９】
【００４０】
本発明の請求項５に係るコモンモードフィルタでは、上記導線路が矩形状の導線路で形成されているから、上述した効果に加えて、望ましい超高速差動信号の遅延特性を任意に設定することが可能である。
【００４１】
本発明の請求項６に係るコモンモードフィルタでは、上記導線路で、個々の当該スパイラルが分割浮きグランドの分割された個々の範囲内に収まる配置にて長さ方向に複数直列接続されているから、上述した効果に加えて、望ましい超高速差動信号の遅延特性を増大させることが可能である。
【００４２】
本発明の請求項７に係るコモンモードフィルタでは、上記導線路がその第１の誘電体層としての誘電体基板に形成され、その第１の分割浮きグランドがその誘電体基板と異なる誘電体基板に形成されるとともに、互いに異なるそれら誘電体基板が積層一体化されてなるから、簡単にチップ型構成が得られる。
【００４３】
本発明の請求項８に係るコモンモードフィルタでは、上記外部グランド電位から分離され、第２の誘電体層を介在させた状態で導線路と対面するよう形成され、その分布定数型の差動伝送線路を形成する第２の浮きグランドを有するから、ストリップライン構成において上述した効果が得られる。
【００４４】
【００４５】
本発明の請求項９に係るコモンモードフィルタでは、複数個に分割された第２の浮きグランドにあって、それら第２の分割浮きグランドのうち、入力側に位置する第２の分割浮きグランドと入力側の外部グランド電位との間に第４の受動２端子回路が接続され、出力側に位置する第２の分割浮きグランドと出力側の外部グランド電位との間に第５の受動２端子回路が接続されているから、ストリップライン構成において、より一層良好な効果が得られるとともに、構成の簡素化も維持される。
【００４６】
本発明の請求項１０に係るコモンモードフィルタでは、上記第２の分割浮きグランドが、隣り合う全てのそれら割浮きグランド間又は隣り合う一部の分割浮きグランド間に第６の受動２端子回路が接続されているから、ストリップライン構成において、種々の上述した効果が得られる。
【００４７】
本発明の請求項１１に係るコモンモードフィルタでは、上記導線路の形成された第１の誘電体層としての誘電体基板と、第１の分割浮きグランドが形成された誘電体基板と、第２の浮きグランドが形成された誘電体基板が積層一体化されてなるから、ストリップライン構成において、簡単にチップ型構成が得られる。
【００４８】
【図面の簡単な説明】
【００４９】
【図１】本発明のコモンモードフィルタの基本構成を説明するための分解斜視図である。
【図２】図１のコモンモードフィルタの通過特性図である。
【図３】図１のコモンモードフィルタに関する等価回路である。
【図４】図３の等価回路の通過特性図である。
【図５】図１のコモンモードフィルタの電力配分特性図である。
【図６】図１のコモンモードフィルタの別の電力配分特性図である。
【図７】本発明のコモンモードフィルタの別の実施の形態を示す分解斜視図である。
【図８】図７のコモンモードフィルタの通過特性図である。
【図９】図７のコモンモードフィルタの電力配分特性図である。
【図１０】本発明のコモンモードフィルタの別の実施の形態を示す分解斜視図である。
【図１１】図１０のコモンモードフィルタの通過特性図である。
【図１２】図１０のコモンモードフィルタの電力配分特性図である。
【図１３】本発明のコモンモードフィルタの別の実施の形態を示す分解斜視図である。
【図１４】図１３のコモンモードフィルタの通過特性図である。
【図１５】図１３のコモンモードフィルタの電力配分特性図である。
【図１６】従来のコモンモードフィルタを示す回路図である。
【図１７】図１６に示す従来のコモンモードフィルタの特性図である。
【発明を実施するための形態】
【００５０】
以下本発明の実施の形態を図面を参照して説明する。
【００５１】
図１は本発明に係るコモンモードフィルタＦの基本構成を示す分解斜視図である。
【００５２】
図１において、焼成セラミックス等の誘電体基板からなる方形の誘電体層３Ａの片面（図１中上面）には、誘電体層３Ａの対向縁間において、矩形状に折り返した１対の導線路１Ａ、１Ｂが従来公知の印刷手法等によって形成されている。導線路１Ａ、１Ｂは、誘電体層３Ａの別の対向縁に形成された入力端子５Ａ、５Ｂ、出力端子７Ａ、７Ｂに接続されている。図において、それら入力端子５Ａ、５Ｂ、出力端子７Ａ、７Ｂは、便宜上、誘電体層３Ａとは別の箇所に示した。
【００５３】
導線路１Ａ、１Ｂおよび入出力端子５Ａ、５Ｂ、７Ａ、７Ｂは、導線路１Ａ、１Ｂ間を通る仮想線（図示せず）に対して線対称に形成配置されている。
【００５４】
誘電体層３Ａの下方には、誘電体層３Ａと同様の材料で同形状の誘電体基板からなる誘電体層３Ｂが配置されている。
【００５５】
誘電体層３Ｂの片面（図１中上面）のほぼ全域には、分割浮きグランド９Ａ、９Ｂが公知の印刷手法等によって形成されている。分割浮きグランド９Ａ、９Ｂは、誘電体層３Ｂにおいて、入力端子５Ａ、５Ｂと出力端子７Ａ、７Ｂ間方向を２等分する領域に、僅かな間隔を置いて各々独立して平行に形成され、誘電体層３Ａを介して導線路１Ａ、１Ｂに対面している。
【００５６】
誘電体層３Ｂの同一面には、分割浮きグランド９Ａにあって、入力端子５Ａ、５Ｂに近い側の端を接続点１１Ａとし、これらと入力側グランド端子１３Ａ、１３Ｂとの間に受動２端子回路ＣＭ１Ａ、ＣＭ１Ｂが接続されている。分割浮きグランド９Ｂにあって、出力端子７Ａ、７Ｂに近い側の端を接続点１１Ｂとし、これらと出力側グランド端子１５Ａ、１５Ｂとの間に受動２端子回路ＣＭ１Ｃ、ＣＭ１Ｄが接続されている。
【００５７】
受動２端子回路ＣＭ１Ａ〜ＣＭ１Ｄは、短絡線路としての接続片、折り返し線路等によるインダクタ、平板電極による容量、又は抵抗膜であり、誘電体層３Ｂに形成されている。
【００５８】
誘電体層３Ａの上方には、誘電体層３Ａと同様の材料で同形状の誘電体基板からなる誘電体層３Ｃが配置されている。この誘電体層３Ｃにあって誘電体層３Ａと同様の対向縁には、入力側グランド端子１３Ａ、１３Ｂおよび出力側グランド端子１５Ａ、１５Ｂが形成されている。
【００５９】
そして、互いに異なる誘電体層３Ａ、３Ｂ、３Ｃは重ねられてチップ状に一体化され、マイクロストリップ分布定数型のコモンモードフィルタＦが構成されている。
【００６０】
誘電体層３Ａ〜３Ｃに形成された入出力端子５Ａ〜７Ｂ、入力側グランド端子１３Ａ、１３Ｂおよび出力側グランド端子１５Ａ、１５Ｂは、誘電体層３Ａ〜３Ｃが重ねられてチップ状に一体化されたとき、同様に一体化されている。
【００６１】
図２は、図１の構成において、マイクロストリップ分布定数型の差動伝送線路の遅延時間を１００ｐｓとし、受動２端子回路ＣＭ１Ａ〜ＣＭ１Ｄを０.３ｍｍ幅の接続片（短絡線路）およびこれと同一形状の５０Ωの抵抗膜とし、さらに浮きグランド９Ａ、９Ｂを中央部で分割し、電磁界解析した結果である。
【００６２】
図２中、各曲線Ｓｃｃ２１（１）およびＳｃｃ２１（２）は、次の条件におけるコモンモード信号通過特性である。Ｓｃｃ２１（１）：受動２端子回路ＣＭ１Ａ〜Ｄが幅０.３ｍｍの短絡線路Ｓｃｃ２１（２）：受動２端子回路ＣＭ１Ａ〜Ｄが幅０.３ｍｍの５０Ω抵抗膜  なお、Ｓｄｄ２１は、受動２端子回路ＣＭ１Ａ〜ＣＭ１Ｄを幅０.３ｍｍで５０Ωの抵抗膜とした場合の差動信号通過特性である。
【００６３】
図２のＳｃｃ２１（１）から分かるとおり、受動２端子回路ＣＭ１Ａ〜ＣＭ１Ｄが短絡線路の場合、コモンモード信号の減衰周波数帯域は約４〜１１ＧＨｚで、特に５〜１０.５ＧＨｚでは１５ｄＢ以上の減衰が得られている。また、受動２端子回路ＣＭ１Ａ〜ＣＭ１Ｄが５０Ωの抵抗の場合、Ｓｃｃ２１（２）に示すとおり、Ｓｃｃ２１（１）よりもコモンモード信号の減衰量は小さいが、より広帯域で一定量の減衰が得られており、特に３〜１７ＧＨｚの周波数範囲で５〜１５ｄＢの減衰が得られている。
【００６４】
なお、図示はしないが、浮きグランドを分割しない構成は、コモンモード信号が直流（ＤＣ）〜１０ＧＨｚ以上の帯域において通過し、コモンモードフィルタＦとして実用化し難い特性となる。
【００６５】
次に、分割浮きグランド９Ａ、９Ｂを用いることによって、上述した良好なコモンモード信号の減衰が得られる理由を検証する。
【００６６】
図３は、図１の構成における等価回路である。分割浮きグランド９Ａ、９Ｂ間には、分割浮きグランド間容量１７が存在する。
【００６７】
導線路１Ａ、１Ｂは、電磁界解析結果に近い通過特性となるよう、区間数および回路定数を選定して集中定数回路的に等価回路を作成したが、ここでは、その正確な回路定数の表記は省略し、図３に示すように簡略化して表記する。
【００６８】
分割浮きグランド間容量１７の容量値と、受動２端子回路ＣＭ１Ａ〜ＣＭ１Ｄが幅０.３ｍｍの短絡線路とした時のこのインダクタンス値とを、電磁界解析による定数抽出および図２の特性が得られるように求めると、分割浮きグランド間容量１７は０.５ｐF、受動２端子回路ＣＭ１Ａ〜ＣＭ１Ｄのインダクタンスは０.６ｎＨとなった。
【００６９】
図４は、図２に示す等価回路の回路シミュレーション結果である。符号Ｓｃｃ２１（１）およびＳｃｃ２１（２）は、次の条件におけるコモンモード信号通過特性である。Ｓｃｃ２１（１）：受動２端子回路ＣＭ１Ａ〜ＣＭ１Ｄは０.６ｎＨのインダクタ（幅０.３ｍｍの短絡線路に相当）Ｓｃｃ２１（１）：受動２端子回路ＣＭ１Ａ〜ＣＭ１Ｄは５０Ωの抵抗と０.６ｎＨのインダクタの直列接続（幅０.３ｍｍの５０Ω抵抗膜に相当）
なお、Ｓｄｄ２１は、受動２端子回路ＣＭ１Ａ〜ＣＭ１Ｄを、５０Ωの抵抗と０.６ｎＨのインダクタとの直列回路とした場合での差動信号通過特性である。
【００７０】
図４の結果を図２と比較すると、１１〜１５ＧＨｚの範囲で若干の差異があるものの、１０ＧＨｚ以下では双方との良好な特性が得られており、図３の等価回路は図１の構成を良く表していると言える。
【００７１】
なお、分割浮きグランド間容量１７は、分割浮きグランド間のギャップ寸法によって調整可能である。換言すると、分割浮きグランド間にも受動２端子回路としての容量が接続されていることと等価である。また、図示はしないが、分割浮きグランド間に他の受動２端子回路を接続して、コモンモード通過特性を調整することも可能である。
【００７２】
図３の等価回路において、図４に示すような特性が得られる理由は以下のように考えられる。
【００７３】
導線路１Ａ、１Ｂに印加された差動信号は、線路間では互いに逆相であるため、導線路１Ａ、１Ｂから分割浮きグランド９Ａ、９Ｂに向かって流れる電流も互いに逆相となり、分割浮きグランド９Ａ、９Ｂ内で互いに打ち消され、分割浮きグランド間容量１７や受動２端子回路ＣＭ１Ａ〜ＣＭ１Ｄへは流れ出ない。
【００７４】
他方、導線路１Ａ、１Ｂに印加されたコモンモード信号は、同相であるため、分割浮きグランド９Ａ、９Ｂから分割浮きグランド間容量１７や受動２端子回路ＣＭ１Ａ〜ＣＭ１Ｄを経由して外部グランド電位へ流れる。すなわち、分割浮きグランド間容量１７や受動２端子回路ＣＭ１Ａ〜ＣＭ１Ｄは、コモンモード信号に対してのみ有効な素子となる。
【００７５】
ここで、受動２端子回路ＣＭ１Ａ〜ＣＭ１Ｄが短絡線路であるとした場合、これらはインダクタ成分を有するので、分割浮きグランド間容量１７とともにコモンモード信号に対する直列共振回路を形成する。そうなると、分割浮きグランド９Ａ、９Ｂは、コモンモード信号に対するグランドとして機能しなくなるため、導線路１Ａ、１Ｂも、コモンモード信号に対する伝送線路ではなくなり、導線路１Ａ、１Ｂを形成するインダクタおよび容量が上記直列共振回路に直列接続され、それらが複合的な共振回路を形成する。その結果、図４のＳｃｃ２１（１）に示すような共振曲線が得られ、コモンモード信号に対するフィルタとして機能するようになる。
【００７６】
この場合、遅延時間が大きくなるほど、導線路１Ａ、１Ｂの持つインダクタンスや容量といった時定数も大きくなり、共振周波数も低くなる。すなわち、遅延時間が大きくなるほど、コモンモード信号をより低い周波数から減衰可能となる。
【００７７】
また、受動２端子回路ＣＭ１Ａ〜ＣＭ１Ｄが抵抗膜である場合、外形形状は上記短絡線路と同一形状のためインダクタンス成分を有し、等価回路的には抵抗とインダクタンスとの直列素子と見なすことができる。
【００７８】
そして、その通過特性は、共振回路に抵抗が入ることにより、共振回路の「Ｑ」が下がり、図４のＳｃｃ２１（２）に示すようなブロードな共振曲線となる。すなわち、コモンモード信号の減衰量は少なくなるが、広い帯域で一定量の減衰が得られる。また、共振回路に抵抗が接続されたことで、入力されたコモンモード信号電力の一部が抵抗で損失する。
【００７９】
この抵抗によるコモンモード信号電力の損失が、等価回路上のみならず、図１に示す構成でも実際に発生していることを確認するため、図１における受動２端子回路ＣＭ１Ａ〜ＣＭ１Ｄが短絡線路の場合と、５０Ωの抵抗膜の場合とで、入力されたコモンモード信号電力が、どのような比率で通過および反射するかを調べた。
【００８０】
図５は、図１における受動２端子回路ＣＭ１Ａ〜ＣＭ１Ｄが短絡線路である場合、コモンモードフィルタＦに入力されたコモンモード信号電力を１００％として、周波数毎に、どのような割合で通過し、どのような割合で反射するか示したものである。ここで、全電力から通過電力および反射電力を差し引いた残りの電力は、コモンモードフィルタＦ内で吸収消費されるコモンモード信号電力であり、これを吸収電力と定義する。
【００８１】
さらに、図６では、図１の構成において、受動２端子回路ＣＭ１Ａ〜ＣＭ１Ｄが５０Ωの抵抗膜の場合、コモンモードフィルタＦに入力されたコモンモード信号電力を１００％として、周波数毎に通過電力の割合、反射電力の割合および吸収電力の割合を示している。
【００８２】
図５では、図２におけるＳｃｃ（１）の減衰帯域４〜１１ＧＨｚの特性に対応するように、４〜１１ＧＨｚで反射電力が高い割合を占め、コモンモードフィルタＦを通過しないコモンモード信号電力の多くが、入力端子で反射していることが示されている。なお、若干の吸収電力が発生しているが、これはコモンモードフィルタＦを構成する部材の誘電体損失や導体損失等が考えられる。
【００８３】
他方、図６では、図２におけるＳｃｃ（２）の減衰帯域３〜１７ＧＨｚの特性に対応して、３〜１７ＧＨｚで吸収電力が高い割合を占めている一方、反射電力の占める割合が低くなっている。すなわち、コモンモードフィルタＦを通過しないコモンモード信号電力の多くが内部で吸収され、反射電力が抑制されていることが示されている。
【００８４】
図７は、本発明のコモンモードフィルタＦに係る別の実施の形態を示す分解斜視図であり、受動２端子回路を複数種類の受動２端子素子の直列接続とし、複数の分割浮きグランドがその１個の受動２端子回路を共用するように接続した構成である。
【００８５】
図７の構成では、図１における分割浮きグランドをさらに分割して分割浮きグランド９Ａ〜９Ｄを形成する一方、入力側グランド端子１３Ａ、１３Ｂに接続される受動２端子回路ＣＭ１Ａ、ＣＭ１Ｂと、出力側グランド端子１５Ａ、１５Ｂに接続される受動２端子回路ＣＭ１Ｃ、ＣＭ１Ｄとが、短絡線路より値の大きい矩形状のインダクタンスと抵抗の直列回路で形成されている。
【００８６】
分割浮きグランド９Ａは、各々受動２端子回路を形成する抵抗とインダクタの直列回路からなる受動２端子回路ＣＭ１Ａ、ＣＭ１Ｂを介して入力側グランド端子１３Ａ、１３Ｂに接続されている。分割浮きグランド９Ｂ〜９Ｄは、各々受動２端子素子である抵抗およびインダクタの直列回路からなる受動２端子回路ＣＭ１Ｃ、ＣＭ１Ｄを介して出力側グランド端子１５Ａ、１５Ｂに接続されている。
【００８７】
特に、受動２端子回路ＣＭ１Ｃ、ＣＭ１Ｄは、分割浮きグランド９Ｂ〜９Ｄに対し共用して並列接続されており、受動２端子回路ＣＭ１Ａ、ＣＭ１Ｂに比べてインダクタンスが大きな値に設定されている。
【００８８】
このような構成では、分割浮きグランド９Ａ〜９Ｄがより多く分割され、それらの各分割浮きグランド９Ａ〜９Ｄに接続される受動２端子回路ＣＭ１Ａ〜ＣＭ１Ｄのインダクタンス値が複数となることで、共振周波数が複数に分けられ、幅の広いコモンモード信号減衰帯域が得られる。
【００８９】
さらに、インダクタンスの値が大きくなることで、各共振周波数でより深い減衰量の得られる効果と、低い周波数側へコモンモード信号減衰帯域を広げる効果が期待できる。抵抗によって共振回路の「Ｑ」が下がるので、広い周波数帯域で一定のコモンモード信号減衰特性が得られる。
【００９０】
その結果、このような構成では、図８のＳｃｃ２１に示すように、約３〜１３ＧＨｚの帯域で、１０ｄＢ以上のコモンモード信号減衰量が得られる。
【００９１】
図９は、図８の通過特性Ｓｃｃ２１を有するコモンモードフィルタＦにおいて、入力されたコモンモード信号電力に対する通過電力、反射電力および吸収電力の割合を示しており、図６と同様に、抵抗によるコモンモード電力の吸収が発生していることが示されている。
【００９２】
以上の説明では、本発明に係るコモンモードフィルタＦが、分布定数型の差動伝送線路としてのマイクロストリップ分布定数型の差動伝送線路である例を説明した。
【００９３】
しかし、本発明のコモンモードフィルタＦは、一対の導線路が誘電体を介して上下からグランドに対面する分布定数型の差動伝送線路、すなわちストリップ分布定数型の差動導線路を用いた構成も可能である。
【００９４】
次に、本発明に係るコモンモードフィルタＦとしてストリップ分布定数型の差動導線路を用いた構成を説明する。
【００９５】
図１０は、ストリップ分布定数型の差動導線路を用いた本発明のコモンモードフィルタＦを示す分解斜視図である。
【００９６】
図１０において、図１と同様に誘電体層３Ａの下方には、同図と同様の誘電体層３Ｂが配置されている。
【００９７】
誘電体層３Ｂにおいて同一の片面（図１０中上面）には、導線路１Ａ、１Ｂの入出力方向を横切るよう、図７に類似した細長い分割浮きグランド９Ｅ、９Ｆ、９Ｇ、９Ｈが、僅かな間隔を置いて近接するよう平行に形成されている。
【００９８】
個々の分割浮きグランド９Ｅ〜９Ｈの両端部において、隣り合う分割浮きグランド９Ｅ〜９Ｈとの間には、印刷等によって形成された抵抗（例えば５０Ω）からなる受動２端子回路ＣＭ１Ｅが接続されている。
【００９９】
入力側の分割浮きグランド９Ｅの両端部は、抵抗からなる受動２端子回路ＣＭ１Ｅを介して入力側グランド端子１３Ａ、１３Ｂに接続されており、出力側の分割浮きグランド９Ｈの両端部は、出力側グランド端子１５Ａ、１５Ｂに接続されている。
【０１００】
誘電体層３Ａの上方には、これと同様の誘電体層３Ｃとの間に誘電体層３Ａと同様の材料で同形状の誘電体基板からなる誘電体層３Ｄが配置されている。
【０１０１】
誘電体層３Ｄの片面（図１０中上面）には、導線路１Ａ、１Ｂの入出力方向を横切るよう、例えば直交するように延びる細長い分割浮きグランド１９Ｅ、１９Ｆ、１９Ｇ、１９Ｈが、僅かな間隔を置いて近接するよう平行に形成されている。個々の分割浮きグランド１９Ｅ〜１９Ｈは、分割浮きグランド９Ｅ〜９Ｈと同様の形状で、これらに重なる位置に形成されている。
【０１０２】
個々の分割浮きグランド１９Ｅ〜１９Ｈの両端部において、隣り合う分割浮きグランド１９Ｅ〜１９Ｈとの間には、印刷等によって形成された抵抗（例えば５０Ω）からなる受動２端子回路ＣＭ２Ｅが接続されている。
【０１０３】
入力側の分割浮きグランド１９Ｅは、抵抗からなる受動２端子回路ＣＭ２Ｅを介して入力側グランド端子１３Ａ、１３Ｂに接続されており、出力側の分割浮きグランド１９Ｈの両端部は、出力側グランド端子１５Ａ、１５Ｂに接続されている。
【０１０４】
そして、互いに異なる誘電体層３Ａ、３Ｂ、３Ｄ、３Ｃは重ねられてチップ状に一体化されている。
【０１０５】
誘電体層３Ａ、３Ｂ、３Ｃ、３Ｄに形成された入出力端子５Ａ、５Ｂ、７Ａ、７Ｂ、入出力側グランド端子１３Ａ、１３Ｂ、１５Ａ、１５Ｂは、誘電体層３Ａ〜３Ｄが重ねられてチップ状に一体化されたとき、同様に一体化されている。
【０１０６】
なお、図１０の構成において、誘電体層３Ａ、分割浮きグランド９Ｅ〜９Ｈ、受動２端子回路ＣＭ１Ｅは、各々、第１の誘電体層、第１の分割浮きグランド、第１の受動２端子回路として機能し、誘電体層３Ｄ、分割浮きグランド１９Ｅ〜１９Ｈ、受動２端子回路ＣＭ２Ｅは、各々、第２の誘電体層、第２の分割浮きグランド（第２の浮きグランド）、第２の受動２端子回路として機能する。
【０１０７】
この図１０に示す構成では、入力側および出力側の分割浮きグランド９Ｅ、９Ｈ、１９Ｅ、１９Ｈが受動２端子回路ＣＭ１Ｅ、ＣＭ２Ｅを介して外部グランドに接続されるとともに、隣り合う分割浮きグランド９Ｅ〜９Ｈ、１９Ｅ〜１９Ｈ間にも受動２端子回路ＣＭ１Ｅ、ＣＭ２Ｅが接続された構成となっている。
【０１０８】
図１１は、差動導線路が１００ｐｓの遅延時間を有する図１０に示すコモンモードフィルタＦの特性であり、Ｓｄｄ２１は差動信号通過特性を、またＳｃｃ２１はコモンモード信号通過特性を示している。両特性ともコモンモードフィルタＦとして十分な特性を備えていることが分かる。
【０１０９】
さらに、コモンモードフィルタＦでは、入力されたコモンモード電力の大部分が受動２端子回路ＣＭ１Ｅ、ＣＭ２Ｅに吸収されており、コモンモード信号減衰特性を得るために回路が持つ共振を利用し、かつ、受動２端子回路ＣＭ１Ｅ、ＣＭ２Ｅである抵抗値５０Ωの計２０個の抵抗において、エネルギーを吸収させ、大きな効果を得ている。そのため、図１２に示すように、良好な分配特性が得られる。
【０１１０】
また、受動２端子回路ＣＭ１Ｅ、ＣＭ２Ｅとしての５０Ωの抵抗が合計２０個と多数配置されているが、これらは抵抗体ペーストによって印刷手法で形成されるし、誘電体層３Ｂ、３Ｄの形状が同じなので、生産も極めて良好である。
【０１１１】
さらに、受動２端子回路ＣＭ１、ＣＭ２としての抵抗のバラツキが特性に与える影響も極めて少なく、従って抵抗値の調整などは必要としない。
【０１１２】
なお、図示は省略するが、図１０の構成において、第１の分割浮きグランド９Ｅ〜９Ｈと第１の受動２端子回路ＣＭ１ＥとによってコモンモードフィルタＦとしての機能が成立していれば、第２の分割浮きグランド１９Ｅ〜１９Ｈに受動２端子回路ＣＭ２Ｅを接続しない又は第２の分割浮きグランド１９Ｅ〜１９Ｈを分割しなくても、特性が僅かに劣化するもののコモンモードフィルタＦとしての機能は維持される。
【０１１３】
この場合、第２の浮きグランドは、差動信号に対するインピーダンスマッチング用のグランドとしてのみ機能し、コモンモードフィルタＦの機能は第１の分割浮きグランド９Ｅ〜９Ｈによって維持される。
【０１１４】
さらに、図示は省略するが、同構成において、分割浮きグランド９Ｅ〜９Ｈのいずれかに受動２端子回路ＣＭ１Ｅが接続されず、しかも分割浮きグランド１９Ｅ〜１９Ｈのいずれかに受動２端子回路ＣＭ２Ｅが接続されない状態、すなわち第１の分割浮きグランドも第２の浮きグランドも共に不完全な構成になったとしても、特性は劣化するもののコモンモードフィルタＦとしての機能は維持される。必ずしも全ての分割浮きグランドに受動２端子回路が接続されていなくても良い。
【０１１５】
上述したコモンモードフィルタＦでは、導線路１Ａ、１Ｂに、矩形状の折り返し線路によるマイクロストリップラインあるいはストリップラインを用いて説明してきた。しかし、本発明のコモンモードフィルタＦは、導線路にスパイラル形状の分布定数線路を用いることも可能である。
【０１１６】
そこで、次に、本発明に係るコモンモードフィルタＦとしてスパイラル形状の分布定数型差動導線路を用いた構成を説明する。
【０１１７】
図１３は、スパイラル形状の分布定数型差動導線路を用いた本発明のコモンモードフィルタＦを示す分解斜視図である。
【０１１８】
図１３の構成は、図１０に示すストリップライン構成において、誘電体層３Ａと誘電体層３Ｄとの間に、誘電体層３Ａとともに、これと同様な誘電体層を形成し誘電体基板からなる誘電体層３Ｅを挿入したものである。
【０１１９】
しかも、誘電体層３Ａにはスパイラル状の導線路２１Ａ、２１Ｂが、誘電体層３Ｅにはスパイラル状の導線路２３Ａ、２３Ｂが印刷等の手法により形成されている。
【０１２０】
スパイラル状の導線路２１Ａ、２１Ｂ、２３Ａ、２３Ｂは、単位スパイラルコイルを僅かな間隔で、分割浮きグランド９Ｅ〜９Ｈおよび１９Ｅ〜１９Ｈを横切る方向に複数配列されてなり、独立したそれら単位スパイラルコイルと、隣合って直列接続される一対の単位スパイラルコイルとからなっている。
【０１２１】
さらに、導線路２１Ａにおける単位スパイラルの中心部と導線路２３Ａにおける単位スパイラルの中心部との間、および導線路２１Ｂにおける単位スパイラルの中心部と導線路２３Ｂにおける単位スパイラルの中心部との間はビア２５Ａ、２５Ｂで接続され、結合スパイラルコイルを形成している。
【０１２２】
すなわち、スパイラル状の導線路２１Ａ、２３Ａの単位スパイラルコイルが入出力端子間５Ａ、７Ａ間で交互に直列接続され、スパイラル状の導線路２１Ｂ、２３Ｂの単位スパイラルコイルが入出力端子間５Ｂ、７Ｂ間で交互に直列接続されている。
【０１２３】
入力端子５Ａ、５Ｂに最も近い側の結合スパイラルコイルは、分割浮きグランド９Ｅ、１９Ｅの幅内に収まる寸法で、分割浮きグランド９Ｅ、１９Ｅに上下から挟まれることによって分布容量を有している。これにより、インダクタンスは集中定数的であるが、容量が分布定数的であるため、分布定数型線路が形成されている。
【０１２４】
分割浮きグランド９Ｆと１９Ｆ間、９Ｇと１９Ｇ間および９Ｈと１９Ｈ間にも、同様な結合スパイラルコイルが挟まれている。
【０１２５】
さらに、分割浮きグランド９Ｅと１９Ｅ間、９Ｆと１９Ｆ間、９Ｇと１９Ｇ間および９Ｈと１９Ｈ間は、導線路２１Ａ、２１Ｂ、２３Ａ、２３Ｂを避ける部位を通るビア２５Ｃ、２５Ｄで、互いに接続される。
【０１２６】
図１４は、図１３に示すコモンモードフィルタＦにおいて、遅延時間を約２００ｐｓとなるよう設定した場合の、差動信号通過特性Ｓｄｄ２１およびコモンモード信号通過特性Ｓｃｃ２１である。受動２端子回路ＣＭ１Ｅは５０Ω、ＣＭ２Ｅは１００Ωとしている。
【０１２７】
図１０の構成に比べ、遅延時間が増えたことで、コモンモード信号に対する複合的な直列共振回路の時定数も増えるので、コモンモード信号を減衰する周波数帯域が低い方へシフトし、３ＧＨｚ付近からの帯域で使えるコモンモードフィルタとなることが示されている。
【０１２８】
図１５は、図１３に示すコモンモードフィルタＦへ入力されたコモンモード電力の分配特性を示すものである。この図から、本発明の構成では、１１ＧＨｚ付近で若干反射電力が増えるものの、概ね良好な電力吸収が得られていることが分かる。
【０１２９】
以上、本発明の実施例においては、説明の都合上、入力側グランド端子１３Ａ、１３Ｂは入力端子５Ａ、５Ｂに並べて配置され、出力側グランド端子１５Ａ、１５Ｂも出力端子７Ａ、７Ｂに並べて配置された例で説明した。
【０１３０】
しかし、電子部品としてのコモンモードフィルタＦを小型の電子機器に使用する場合、図１に例示したものよりも一層の小型化が求められる。
【０１３１】
その場合は、四角なチップ部品の一辺に入力端子５Ａ、５Ｂのみを配置し、その対向辺に出力端子７Ａ、７Ｂのみを配置し、入出力端子５Ａ、５Ｂ、７Ａ、７Ｂを配置してない辺および底面に、入出力側グランド端子１３Ａ、１３Ｂ、１５Ａ、１５Ｂ一緒にまとめ、これを共通の端子として配置する等が必要となる。その場合、入出力側グランド端子１３Ａ、１３Ｂ、１５Ａ、１５Ｂを一体とすることもできる。
【０１３２】
そして、スパイラル形状の分布定数型差動伝送線路を用いた本発明のコモンモードフィルタＦにおいても、ストリップラインやマイクロストリップラインによる分布定数型差動導線路を用いた構成と同様に、上述した構成の種々の組み合せが可能である。
【０１３３】
さらに、分割浮きグランド９Ａ〜１９Ｈにおいて、隣り合う全て又は一部間にも、受動２端子回路ＣＭ１Ａ〜ＣＭ２Ｅを接続することも可能である。
【０１３４】
以上の実施の形態例において、１個のコモンモードフィルタＦに使用する複数個の受動２端子回路ＣＭ１Ａ〜ＣＭ２Ｅについて、全て同じ種類の受動素子とするか、又は抵抗とインダクタンスとの組み合わせで説明した。
【０１３５】
すなわち、図１の構成では４個の短絡線路又は４個の抵抗を、図７の構成では４個のインダクタンスと８個の抵抗を、図１０および図１３では２０個の抵抗を使用した例を示した。
【０１３６】
しかし、本発明においては、１個のコモンモードフィルタＦにおける受動２端子回路ＣＭ１Ａ〜ＣＭ２Ｅとして、インダクタンス、短絡線路、容量、抵抗を任意に組み合わせて使用可能である。
【０１３７】
さらに、本発明のコモンモードフィルタＦは、単体の部品としてだけでなく他の機能部品と一緒に組み合わせた構成も可能である。
【０１３８】
例えば、電子部品としての差動遅延線の中に本発明のコモンモードフィルタＦを組み込む場合、差動遅延線の遅延時間がコモンモードフィルタＦとして必要な遅延時間以上にあれば、必要な長さ分だけの数の分割浮きグランドに受動２端子回路を接続し、残りの部分は受動２端子回路を接続しない分割浮きグランドとしておけばよい。
【０１３９】
また、一対の導線路が誘電体層を挟んで対面する分割浮きグランドを有する分布定数型の差動導線路の例として、マイクロストリップライン、ストリップラインおよびスパイラル線路の３種類のみで例示した。
【０１４０】
しかし、本発明の理論的な技術思想に基づけば、一対の導線路の断面形状が同一平面に並置された平面状矩形である必要もないし、さらに一対の導線路が誘電体を挟んで対面するグランドも平面である必要はない。
【０１４１】
例えば、ツイストペアとなった絶縁被覆導線を、誘電体として機能する絶縁物で覆い、その周りをグランドとなる導体で丸く覆い、それらを複数個、互いに接触しないよう連続的に並べたものでも、そのグランドを分割浮きグランドとして機能させることができ、本発明の効果を実現可能である。
【０１４２】
さらに、本発明では、一対の導線路が、同一の遅延時間を持つものとして解析してきたが、導線路に遅延時間差を持たせても良い。これによって、差動信号間に位相ずれが発生している場合に、コモンモードフィルタＦによって、位相ずれの補正とコモンモード信号の減衰の効果を同時に得ることが可能となる。
【符号の説明】
【０１４３】
１Ａ、１Ｂ、２１Ａ、２１Ｂ、２３Ａ、２３Ｂ  導線路
３Ａ、３Ｂ  誘電体層（第１の誘電体層）
３Ｃ  誘電体層（第２の誘電体層）
３Ｄ  誘電体層
３Ｅ  誘電体層（第１の誘電体層）
５Ａ、５Ｂ  入力端子
７Ａ、７Ｂ  出力端子
９Ａ、９Ｂ、９Ｃ、９Ｄ、９Ｅ、９Ｆ、９Ｇ、９Ｈ  分割浮きグランド（第１の分割浮き
グランド）
１３Ａ、１３Ｂ  入力側グランド端子
１５Ａ、１５Ｂ  出力側グランド端子
１７  分割浮きグランド間容量
１９Ｅ、１９Ｆ、１９Ｇ、１９Ｈ  分割浮きグランド（第２の浮きグランド）
２５Ａ、２５Ｂ、２５Ｃ、２５Ｄ  ビア
２１Ａ、２１Ｂ  スパイラル状導線路
２３Ａ、２３Ｂ  スパイラル状導線路
ＣＭ１Ａ、ＣＭ１Ｂ  受動２端子回路（第１の受動２端子回路）
ＣＭ１Ｃ、ＣＭ１Ｄ  受動２端子回路（第２の受動２端子回路）
ＣＭ１Ｅ、ＣＭ２Ｅ  受動２端子回路（第１〜第６の受動２端子回路）
Ｆ  コモンモードフィルタ
【図１】
0005386586.tif 000002
【図２】
0005386586.tif 000003
【図３】
0005386586.tif 000004
【図４】
0005386586.tif 000005
【図５】
0005386586.tif 000006
【図６】
0005386586.tif 000007
【図７】
0005386586.tif 000008
【図８】
0005386586.tif 000009
【図９】
0005386586.tif 000010
【図１０】
0005386586.tif 000011
【図１１】
0005386586.tif 000012
【図１２】
0005386586.tif 000013
【図１３】
0005386586.tif 000014
【図１４】
0005386586.tif 000015
【図１５】
0005386586.tif 000016
【図１６】
0005386586.tif 000017
【図１７】
0005386586.tif 000018